(57)【特許請求の範囲】
【請求項１】
複数種の液体が各別に入れられた送り出し側の第１タンク群のそれぞれに連通管の基端を接続し、各連通管の先端を受け側の第２タンク群のそれぞれに着脱可能に接続するようにしたタンク間の連通管において；第２タンク群の各タンクにバーコードその他のコードの表示器を備えること；表示器はコード表示窓及び鍵孔を備えていること；表示器内にそのコード表示窓を合せ窓により選択的に開放させるシャッター板を摺動可能に設けること；シャッター板は平常時閉位置が保たれるように閉鎖ばねで付勢させてあること；表示器内におけるシャッター板の裏側には、第１タンク群のタンク数（ｎ個）と同数のバーコードその他のコードが列をなして施されたコード板を摺動可能に設けること；コード板は鍵孔の方向に向け戻しばねで付勢させてあること；鍵孔に連続する鍵の挿通路に対し、シャッター板に設けた押し片及びコード板に直接又は間接的に設けた作用片を臨ませること；鍵孔に差し込まれる互に異なるｎ個の鍵は第１タンク群のタンクにおける各連通管に各別に対応させて保管してあること；ｎ個の鍵は、それぞれが鍵孔に挿入された時、押し片を介してシャッター板を開位置に変位させると共に、作用片を介してコード板を対応するコードがコード表示窓の位置に至るように変位させること；及び、前記コードは液体の種別及び第２タンク群におけるタンクの別を指定するものであって、接続させようとする連通管の正誤を確認するために、別に準備された電気的判別確認装置によって読み取り処理されるものであることを特徴とするタンク間の連通管における接続確認装置。
【発明の詳細な説明】
【０００１】
【発明の属する技術分野】
この発明は、タンクローリー車等の積み降ろしにおけるタンク間の連通管の接続確認装置に関する。
【０００２】
【従来の技術】
従来のこの種のタンク間の連通管における接続確認装置としては、製油所や化学工場等における積み降ろしステーションの一部に設置された大型で高価な流通制御システムを挙げることができるが、設備費が安く操作も簡単なものは現在のところ利用されるには至っていない。
【０００３】
一方で、積み降ろし作業において、ホース等の連通管の連結ミスにより発生する異種液体の混入事故は危険であることは言うまでもなく、そのような事故の発生は確実に防止されることが望まれている。
【０００４】
【発明が解決しようとする課題】
この発明は、設備費用が安く操作も簡単なタンク間の連通管における接続確認装置を提供することを目的とする。この発明の装置は、タンクローリー車の積み降ろしにおいて採用するに好適である。
【０００５】
【課題を解決するための手段】
上記の目的を達成するため、この発明のタンク間の連通管における接続確認装置は、複数種の液体が各別に入れられた送り出し側の第１タンク群のそれぞれに連通管の基端を接続し、各連通管の先端を受け側の第２タンク群のそれぞれに着脱可能に接続するようにしたタンク間の連通管において；第２タンク群の各タンクにバーコードその他のコードの表示器を備えること；表示器はコード表示窓及び鍵孔を備えていること；表示器内にそのコード表示窓を合せ窓により選択的に開放させるシャッター板を摺動可能に設けること；シャッター板は平常時閉位置が保たれるように閉鎖ばねで付勢させてあること；表示器内におけるシャッター板の裏側には、第１タンク群のタンク数（ｎ個）と同数のバーコードその他のコードが列をなして施されたコード板を摺動可能に設けること；コード板は鍵孔の方向に向け戻しばねで付勢させてあること；鍵孔に連続する鍵の挿通路に対し、シャッター板に設けた押し片及びコード板に直接又は間接的に設けた作用片を臨ませること；鍵孔に差し込まれる互に異なるｎ個の鍵は第１タンク群のタンクにおける各連通管に各別に対応させて保管してあること；ｎ個の鍵は、それぞれが鍵孔に挿入された時、押し片を介してシャッター板を開位置に変位させると共に、作用片を介してコード板を対応するコードがコード表示窓の位置に至るように変位させること；及び、前記コードは液体の種別及び第２タンク群におけるタンクの別を指定するものであって、接続させようとする連通管の正誤を確認するために、別に準備された電気的判別確認装置によって読み取り処理されるものであることを特徴とする。
【０００６】
【発明の実施の形態】
以下、図面に示す実施例に基いてこの発明について説明する。
図１はこの発明が実施され得る第１タンク群１とタンクローリー車２０の第２タンク群２との間の石油製品、化学製品その他の液体の積み降ろし作業の態様を示している。同図では荷積みの状態を示しているが、この発明は荷降ろしにおいても実施できる。
【０００７】
符号１１〜１４は、異種の石油製品（ハイオクタンガソリン、レギュラーガソリン、軽油、灯油）その他の液体がそれぞれ各別に貯蔵されたタンクで、これらは送り出し側の第１タンク群１を構成している。
【０００８】
送り出し側の各タンク１１、１２、１３又は１４にはそれぞれホース等の連通管３１、３２、３３又は３４の基端が接続してあり、各連通管３１、３２、３３又は３４の先端は受け側の第２タンク群２を構成するタンク２１、２２、２３、２４、２５又は２６に着脱自在に接続することができるようにしてある。
【０００９】
図示例（図１）においては第２タンク群２のタンク２１〜２６はタンクローリー車２０上に設けてあるが、それらタンクは鉄道の貨車上に設けたものであってもよい。
【００１０】
要するに、第１タンク群１の各タンク１１、１２、１３又は１４と第２タンク群２の各タンク２１、２２、２３、２４、２５又は２６とは連通管３１、３２、３３又は３４により図１に鎖線で示すように選択的に接続できるようにしてある。
【００１１】
勿論、第２タンク群２の各タンクは所望の期間について常時同種の液体が積み込まれるものであって、他種の液体が混入することは極めて危険であり、常に避けねばならないことである。
【００１２】
この発明に係る装置を用いることにより、タンクローリー車の運転者を含む操作者は、第１タンク群１と第２タンク群２との間の連通管の接続において誤操作を防止することができる。
【００１３】
図１において、符号４は第２タンク群２の各タンク２１、２２、・・・に設けられた後に詳述するバーコードその他のコードの表示器、Ｋ１、Ｋ２、Ｋ３、Ｋ４は第１タンク群１の各タンクにおける連通管３１、３２、３３又は３４に対応させて保管してある後記の鍵を示す。
【００１４】
次に、図１〜図６において、表示器４について詳述する。
第２タンク群２のそれぞれにフランジ部分４２をもってねじ９１等で取り付けられる表示器４の本体４０は全体として箱形をなし、正面側のほぼ中央部分にはコード表示窓４１を有し、一側面側には単一の鍵孔４３を有する。そして、表示器本体４０にはねじ９２又は接着手段等により基枠５０及び裏板６０が固定されている。
【００１５】
表示器本体４０の正面板と基枠５０との間の空間部には、前方から順に共に横断面がコ字状をなすシャッター板５及びコード板６が水平方向に摺動可能に装着されている。
【００１６】
シャッター板５及びコード板６の水平方向（横方向）の移動は、表示器本体４０の内壁又は基枠５０に設けた溝、突条若しくは長孔等により案内される。但し、シャッター板５及びコード板６の移動における案内手段は図示例のものに限らず、任意に設計し得る。
【００１７】
図２及び図５に示すように、シャッター板５は常態では（平常時においては）圧縮コイルばねその他の閉鎖ばね５２で閉位置が保たれるように付勢させてあって、シャッター板５に設けられた開口、すなわち合せ窓５１が表示器本体４０のコード表示窓４１からずれた位置にあり、シャッター板５によりコード表示窓４１が閉ざされている。
【００１８】
換言すれば、シャッター板５は鍵孔４３、すなわち鍵の差込み口に向け付勢させてある。そのための閉鎖ばね５２は基枠５０に設けたばね受け５３とシャッター５の下部に設けたばね受け５４との間に圧縮状態で装着されている。
【００１９】
図５及び図６に示すように、シヤッター板５の長さ方向（摺動方向）の中央部分には、該シャッター板５の下側辺から後方に向け一体に設けたく字状の押し片５５を備え、その押し片５５は後述の鍵の挿通路４４内に臨ませてある。
【００２０】
一方、シャッター板５の裏側に設けられているコード板６の前面側には、第１タンク群１のタンク数（ｎ個）と同数のバーコードその他のコード（コード票）６１〜６４が貼付等により列をなして施されている。
【００２１】
また、コード板６は鍵孔４３（鍵の差込み口）に向け戻しばね６５で付勢してある。コード板６及び前記のシャッター板５の付勢方向への移動範囲を規制するストッパは、表示器本体４０における鍵孔４３近くの内壁４５がその役割を果たす。
【００２２】
前記のコード板６の付勢に関連する部分の構造について詳述する。図５及び図６に示すように、コード板６の背面にはピン状の作用片６６が内方に向け突設してあり、その作用片６６は基枠５０及び裏板６０のそれぞれに鍵Ｋの差込み方向Ｐに沿うようにして設けた逃げ孔５０ａ、６０ａを貫通している。
【００２３】
そして、作用片６６の中間部は、鍵孔４３に連なる、基枠５０及び裏板６０で形成された鍵の挿通路４４内を通っており、換言すれば、挿通路４４内に臨ませてある。
【００２４】
一方、裏板６０の背面側には一端を枢軸７１で枢軸したレバー７が揺動自在に設けてあり、レバー７の他端には長孔７２が設けられ、その長孔７２には前記の作用片６６の先端が遊嵌させてある。レバー７の他端は作用片６６に対し可動に係合させてあることになる。
【００２５】
レバー７の中央部分には、先端が鍵の挿通路４４内に突出するようにして臨ませた別の作用片を兼ねるピン状をなすばね掛け片７３が固設してあり、そのばね掛け片７３は裏板６０に設けた円弧状の逃げ孔６０ｂを貫通している。
【００２６】
コード板６を鍵孔４３の方向に向け付勢させる戻しばねとしてのねじりコイルばね６５は、コイル部分を枢軸７１に嵌め込むと共に、一端をレバー７のばね掛け片７３に後方から当てがい、他端を表示器本体４０の内壁に当てがうようにして装着してある。
【００２７】
図７及び図８に示す平板状の鍵Ｋ１〜Ｋ４は、第１タンク群１のタンク数（ｎ個）と同数の互に異なるものである。それら鍵Ｋ１〜Ｋ４はそれぞれの先端の幅方向について任意数（図示例では２つ）の溝８１、８２を有しており、各鍵Ｋの差込み方向に深さを有する溝８１、８２はそれぞれ作用溝又は逃げ溝として選択的に働き得る。
【００２８】
図示はしていないが、各鍵Ｋ及び鍵孔４３には鍵の表裏の違いにより差し込みを阻止できるウォードを設けるとよい。
【００２９】
前記の鍵Ｋ１〜Ｋ４は、図１に示すように、異種の液体を貯蔵させた第１タンク群１のｎ個のタンク１１〜１４における連通管３１〜３４の各別に対応させて保管してある。各鍵は対応する連通管の近傍に保管しておくか、対応する連通管に取り外し可能に直接取り付けて保管するとよい。
【００３０】
図５に明示するように、コード板６の前面に施されたバーコードその他のコード６１、６２、６３、６４（同図においては判別を容易にするため二点鎖線で表してある）は、該コード板６の摺動方向に列をなすようにして備えてあり、鍵Ｋの１つを鍵孔４３に差し込めば、溝８１又は８２の深さによりコード板６が４段階の範囲で摺動変位して（図示例においては変位量が０の場合も１段階をなしている）、コード６１〜６４の１つを表示器本体４０のコード表示窓４１に対向させ、かつ、シャッター板５が一定距離を摺動変位して、その合せ窓５１を表示器本体４０のコード表示窓４１に合致させるので、前記コードの１つは図４に示すように表示器４の正面に露出することになる。
【００３１】
露出した１つのコード６１、６２、６３又は６４は、少なくとも液体の種別及び第２タンク群２におけるタンク２１〜２６の別（仕向けられるタンクの別）を指定するものであり、操作者が接続させようと意図する連通管３１、３２、３３又は３４の正誤の別を連結前に確認するためのものである。
【００３２】
鍵Ｋにより露出させた１つのコードは、別に準備された周知の電気的判別確認装置（図示しない）によって読み取り、引き続き行おうとしている連通管の連結操作の正誤を確認する。
【００３３】
すなわち、コードには正しい液体の種別及び第２タンク群２の内の正しいタンクの別が指示されており、操作者は電気的判別確認装置のディスプレー又はスピーカーを通じて視覚又は聴覚をもって次に続く操作の正誤を確認することができる。
【００３４】
前記の電気的判別装置としては、読み取り手段（バーコードリーダ等）、登録手段、記憶手段、比較手段及び表示手段等からなる公知のものである。
【００３５】
図２〜図７に示すように、表示器４の鍵孔４３に対し矢印Ｐのように例えば第２の鍵Ｋ２を差し込めば、鍵の挿通路４４内においてシャッター板５の押し片５５が鍵先８３で閉鎖ばね５２に抗して押され、所定距離を押し込まれたシャッター板５は基枠５０等に設けられたストッパ５０ｂにより停止される。
【００３６】
ここで、シャッター板５の合せ窓５１が表示器本体４０のコード表示窓４１に合致するので、該シャッター板５は開放位置を占めることになる。
【００３７】
同時に、第２の鍵Ｋ２は作用溝として作用する溝８１によりコード板６の作用片６６を戻しばね６５に抗して該溝８１で規制される距離分を押し込み、摺動変位されたコード板６上の対応する第２のコード６２をコード表示窓４１を通じ露出させる（図４参照）。
【００３８】
前記の戻しばね６５の作用片６６に対する付勢力は、両部材６５、６６の間に介在するばね掛け片７３及びレバー７を通じて付与されることは言うまでもない。
【００３９】
前記の第２の鍵Ｋ２の差し込み操作において、その鍵Ｋ２の溝８２はレバー７のばね掛け片７３を逃がす逃げ溝としての役割を果たす。
【００４０】
図４に示すように例えば第２のコード６２（コード表示）が表示器４のコード表示窓４１から露出したら、そのコード６２を図示しない電気的判別確認装置で読み取って所定の処理をし、接続を意図している連通管３２と第２タンク群２のタンク２２との連結の正誤を事前に知る。
【００４１】
意図した操作が正しければ、そのまま連通管３２はタンク２２に接続し、意図した操作が誤っていれば、勿論その操作は中止する。
【００４２】
鍵Ｋで押し込まれたシャッター板５及びコード板６は鍵Ｋを手で抜き出せば閉鎖ばね５２及び戻しばね６５によりそれぞれ原位置に復帰する。
【００４３】
上述の作用例では、第１タンク群１における一例としてのタンク１２の連通管３２と第２タンク群２の一例としてのタンク２２とを接続させようと意図して鍵Ｋ２を使用した場合について説明したが、鍵Ｋ１又はＫ２を使用する他の例でも上記の作用に準ずるので、それらの説明については省略する。
【００４４】
なお、第４の鍵Ｋ４を使用した場合は、コード板６の作動が上述の例とは少し異なる。
すなわち、鍵Ｋ４では、溝８１がコード板６の作用片６６の逃げ溝として作用し、溝８２がレバー７のばね掛け片を兼ねる別の作用片７３の作用溝として働く。
【００４５】
図５を参照して、第４の鍵Ｋ４が鍵孔４３に差し込まれると、コード板６の作用片６６は逃げ溝８１で逃がされる一方で、レバー７のばね掛け片を兼ねる別の作用片７３が浅い作用溝８２で戻しばね６５に抗して押され、前記のコード板６は、鍵Ｋ４の作用溝８２により大きく揺動されるレバー７及び作用片６６を介して深く押し込まれることになる。
【００４６】
要するに、コード板６は別の作用片７３及びレバー７を介し間接的に押し込まれることになる。
【００４７】
そこで、コード表示窓４１には最遠の第４のコード６４が現れることになる。なお、この際のシャッター板５の開放作用は第２の鍵Ｋ２による場合と何ら変りはない。
【００４８】
以上に説明した表示器４は、第２タンク群２の各タンク２１、２２、・・・に対し横向きにして、言い換えると、鍵が水平方向に差し込まれるようにして装着してあるが、各タンク２１、２２、・・・に対し縦向きにして装着することもできる。その場合、鍵Ｋは上向き又は下向きに差し込まれるということになる。
【００４９】
【発明の効果】
以上に説明したこの発明のタンク間の連通管における接続確認装置によれば、設備費用が安く操作も簡単であるに関わらず、タンクローリー車等に複数種の液体を各別に混載する際に、別種液体の混入ミスを確実に防止できる効果を奏する。
【図面の簡単な説明】
【図１】この発明に係るタンク間の連通管における接続確認装置の実施例を示す全体の概要図。
【図２】その要部であるコード指示器の正面図。
【図３】その側面図。
【図４】鍵を差し込んだ状態におけるコード指示器の正面図。
【図５】図３のＶ−Ｖ線によるコード指示器の拡大縦断背面図（但しこの図において基枠及び裏板の一部は切除してある）。
【図６】図５のＶＩ−ＶＩ線によるその拡大横断側面図。
【図７】コード指示器の鍵孔に差し込まれて用いられる鍵の正面図で、（Ａ）〜（Ｄ）は４つの互に異なる鍵を示している。
【図８】図７に示す４つの鍵の共通な端面図。
【符号の説明】
１  第１タンク群
１１〜１４  タンク
２  第２タンク群
２１〜２６  タンク
３１〜３４  連通管
４  表示器
４１  コード表示窓
４３  鍵孔
４４  挿通路
５  シャッター板
５１  合せ窓
５２  閉鎖ばね
５５  押し片
６  コード板
６１〜６４  コード
６５  戻しばね
６６  作用片
７３  別の作用片
Ｋ１〜Ｋ４  鍵
【図１】
0003932211.tif 000002
【図２】
0003932211.tif 000003
【図３】
0003932211.tif 000004
【図４】
0003932211.tif 000005
【図５】
0003932211.tif 000006
【図６】
0003932211.tif 000007
【図７】
0003932211.tif 000008
【図８】
0003932211.tif 000009